(57)【特許請求の範囲】
【請求項１】
覗き孔(4)を備えた鏡(3)と、この鏡に向けて設置された光源(A)とを備えた額帯鏡において、前記鏡の鏡面が、光源(A)と焦点(F)とを２つの焦点とする楕円を当該２つの焦点を結ぶＡ−Ｆ軸回りに回転して得られる回転楕円面の長径端付近の中心が当該長径から偏倚した円領域の凹面鏡であり、覗き孔(4)が鏡(3)の略中心にあり、光源(A)の鏡(3)による反射光(16)が覗き孔(4)を通る視線(11)上の定められた焦点(F)に収斂させることにより、視線(11)から外れた位置にある光源(A)から放射された光の鏡(3)による反射光の光軸と前記視線とを一致させたことを特徴とする、額帯鏡。
【発明の詳細な説明】
【０００１】
【発明の属する技術分野】
この発明は、額帯鏡すなわち医師が喉の奥や外耳道を見るときに額に装着して使用する鏡に関するもので、特に鏡面の形状に特徴がある額帯鏡に関するものである。
【０００２】
【従来の技術】
従来広く用いられている額帯鏡は、頭部に嵌装するＵ字形ないし馬蹄形の固定帯の前端に自在継手を介して中心に覗き孔を設けた円形の鏡を装着したものである。医師が喉の奥や外耳道を見るとき、鏡を目の前に引き降ろして鏡の角度を調節することによって、外光が喉の奥や外耳道に照射されるようにし、鏡の中心の覗き孔を通して患部を見る。鏡は平面のものもあるが、通常は凹面にして鏡で反射された光が収束して患部をより明るく照らすことができるように配慮されている。
【０００３】
医師は患部を詳細に観察するために色々な方向から見ようとするが、外光の反射を利用した従来の額帯鏡は、医師が顔の方向を変える毎に外光に対する鏡面の向きが変わり、反射光の投射位置が患部から外れてしまう。そのため医師は度々鏡の方向を調整しなければならず、非常に煩雑であり診察に時間がかかる。
【０００４】
この問題を解決する一つの手段として、額帯鏡の鏡に代えて光源を設けたものが提供されている。光源には白色ランプや蛍光ランプが用いられ、額帯鏡に直接光源を取り付けたものや、別置きにした光源装置から光ファイバーで光を額帯鏡に導くようにしたものがある。
【０００５】
また他の従来手段として、額帯鏡の鏡の前方にその鏡面を向いた光源を取り付けたものがある。この光源は額帯鏡の固定帯やブラケットに取り付けられているので、医師が顔の向きを変えたときに光源と鏡とが同時に動き、鏡で反射された光源の光は常に医師の顔の向きに従うようになる。
【０００６】
【発明が解決しようとする課題】
しかし上記従来の鏡の代わりに光源を設ける構造や、鏡とその鏡面に向けた光源とを設ける構造は、照明光の光軸と医師の視線とが一致しない欠点がある。鏡の代わりに光源を設けるものは、その光源は医師の視線を遮らない位置に設ける必要があり、従って光源の光軸と視線とを一致させることは不可能である。また鏡とその鏡面に向いた光源を設ける従来構造は、図５に示すように、鏡の下辺部分に視線を通す凹所１７を設けた構造であるため、鏡３で反射した光線の光軸と視線とが一致しない。
【０００７】
さらにこのような光源を設けた従来の額帯鏡では、観察しようとする患部に影ができやすく、診察しにくいという問題がある。すなわち白熱電球などで患部を直接照らすもの及びそのような光源の光を平面鏡で反射させて患部を照らすものでは、光の照射方向が一方向だけとなるので影が出来やすく、また患部の周辺の広い範囲にわたって照明されるため、喉の奥や外耳道の奥よりもその周囲の方が明るく照らされて患部が見にくくなる。
【０００８】
また光源の光を光ファイバーなどで導いて照明するものでは、あまり拡散しない光束で患部を照明することができるが、この場合には光軸の方向と視線の方向にずれが生ずるのを避けられず、そのずれに起因する影が生ずる。
【０００９】
この発明は、外耳道の奥などを観察する際に、比較的小さな光源で顔の動き等によってあまり変化しない安定した照度が得られ、かつ影を生ずることの少ない、従って患部の観察をより容易にかつ正確に行うことが可能な額帯鏡を得ることを課題としている。
【００１０】
【課題を解決するための手段】
この発明に係る額帯鏡は、覗き孔４を備えた鏡３と、この鏡に向けて設置された光源Ａとを備えた額帯鏡において、鏡３に設けた覗き孔４の周囲全体に鏡面が配設され、この鏡面による光源Ａの反射光が、覗き孔４を通る視線１１上の定められた焦点Ｆに収斂するようにしたことを特徴とするものである。また、反射光を焦点Ｆに収斂する手段として、鏡３の鏡面を、光源Ａと焦点Ｆとを焦点とする楕円を当該光源と焦点とをつなぐＡ−Ｆ軸回りに回転して得られる回転楕円面としたことを特徴とする。
【００１１】
【作用】
この発明では、光源Ａから放射された光は、覗き孔４の周囲全体に存在する鏡面で反射され、鏡３の中心の覗き孔４を貫通する視線１１上の設計により定めた焦点Ｆに向けて反射される。このような作用を備えた鏡３として回転楕円面鏡が最も適しており、鏡面を成形するための型の加工も容易である。
【００１２】
また、焦点Ｆ近くでは、視線１１の上下左右すべての鏡面から反射された光線が存在するので、例えば外耳道の上面は鏡３の下方からくる光で、また下面は鏡３の上方からくる光で照明されるから、照明部分に影が生ずるのを大幅に軽減できる。
【００１３】
【発明の実施の形態】
上記のような鏡面を備えた鏡３は、ＮＣ装置に装着したエンドミルで雄型を加工し、加工面を鏡面仕上げした後、雌型との間に樹脂を流し込んで成形し、雄型で成形された面にクロムなどの金属メッキを施し、必要により更に鏡面仕上げすることによって製作することができる。
【００１４】
このようにして製作された鏡は、従来の額帯鏡と同様、固定帯に自在継手を介して装着される。光源Ａは、自在継手７より鏡３側の部材、例えば鏡３を保持する鏡枠５や鏡枠５から自在継手７に向けて延びるブラケット６等に固定した支持アーム９の先端に鏡３に向けて装着される。
【００１５】
図１ないし２はこの発明の実施例を示したもので、図１は額帯鏡の斜視図で、１は額帯鏡を頭部に装着するための固定帯、２は固定帯１から延びるブラケット、３は鏡、４は鏡の中心に設けられた覗き孔、５は鏡３を保持している鏡枠、６は鏡枠５から延びるブラケットで、固定帯側のブラケット２と鏡枠側のブラケット６との先端相互は自在継手７で連結されている。Ａは白熱電灯などの光源、９は光源Ａを保持するアームで、アーム９は鏡枠側のブラケット６から一体に延び、その先端に光源Ａが鏡３に向けて装着されている。１４は光源Ａを点燈するための電池を収容するケースで、この電池ケースから光源Ａに電源が供給される。光源Ａを点滅させるためのスイッチ１５は、操作しやすい適宜な場所に設けられる。
【００１６】
鏡３の鏡面は、視線１１より外れた位置（上下左右いずれでもよい）にある光源Ａから放射された光を、覗き孔４を通る視線１１上の定められた焦点Ｆ（覗き孔より約３０ｃｍ位）で収斂する形状である。図の実施例の鏡面は、光源Ａと焦点Ｆとを焦点とする楕円をこのＡ−Ｆ軸回りに回転して得られる回転楕円面の長径端付近の中心が長径から偏倚した円領域（図３で太線で表されている部分）を利用した凹面鏡である。このような回転楕円面鏡を使用すると、光源Ａの鏡３の全ての鏡面における反射光が焦点Ｆに向くことは、一般の光学書に詳述されている。実施例の鏡３の外形は視線１１を略中心軸とする円形状であるが、いろいろな形状に作れることは勿論である。
【００１７】
回転楕円面を加工するためのＮＣ装置のエンドミル加工データは、鏡面上の任意の点Ｐのｘ、ｙの値で決めることができる。光源Ａの位置を点Ａ、焦点Ｆの位置を点Ｆ、点Ａと点Ｆの中間点を座標原点Ｏとし、Ａ−Ｆ線をＸ軸、これに直交する軸をＹ軸として、下記に任意の点Ｐの座標の計算方法を示す。図３において、楕円長径を２ａ、短径を２ｂとし、点Ａと点Ｆ間の距離を２Ｋ、点Ａ及び点Ｆと長径端までの距離をＥとする。Ｅは通常３〜５ｃｍである。図３で括弧内に示す符号は、その符号が引き出されている点の座標を示す。光源Ａの座標は（Ｋ，０）、焦点Ｆの座標は（−Ｋ，０）、鏡面上の任意の点Ｐの座標は（ｘ，ｙ）、長径端の座標は（ａ，０）と（−ａ，０）、短径端の座標は（０，ｂ）と（０，−ｂ）である。
【００１８】
楕円の一般式は、ｘ2 ／ａ2 ＋ｙ2 ／ｂ2 ＝１で表され、これより数１を得る。
【数１】
0004012602.tif 000002
【００１９】
なお、光源Ａを座標原点とし、光源Ａと鏡面上の任意点Ｐを結ぶ線がＸ軸となす角度をαとして、下記の式でｘ′、ｙ′を計算できる。
ｘ′＝（Ｅ2 −２ＫＥ）ｃｏｓα／（Ｅ−Ｋ（１＋ｃｏｓα））
ｙ′＝（Ｅ2 −２ＫＥ）ｓｉｎα／（Ｅ−Ｋ（１＋ｃｏｓα））
ｘ′、ｙ′は、光源Ａを座標原点とした場合の鏡面の任意点Ｐの座標を示している。
【００２０】
上記のような計算式により、任意の点Ｐの座標値ｘ、ｙ又はｘ′、ｙ′が計算できるので、その結果に従ってエンドミルを装着したＮＣ装置を制御し、被加工物（鏡）をＸ軸回りに回転させれば回転楕円面を成形する金型の成形面を加工することができる。
【００２１】
そしてたとえば図４に示すように、上記に従って成形面３ａを形成した雄型１２と雌型１３との間に、ポリカーボネートなどの合成樹脂を流し込むことにより、鏡３の母材を成形し、雄型１２で成形された面にクロムメッキなどを施した後、必要によりメッキ面を鏡面仕上げしてやれば、本発明の額帯鏡用の鏡３を得ることができる。
【図面の簡単な説明】
【図１】本発明の実施例の全体斜視図
【図２】実施例の要部断面図
【図３】鏡面のｘ、ｙ値を導く説明図
【図４】鏡の成形型断面図
【図５】従来構造の一例を表す要部斜視図
【符号の説明】
３  鏡
４  覗き孔
11  視線
16  反射光
Ａ  光源
Ｆ  定点（焦点）
【図１】
0004012602.tif 000003
【図２】
0004012602.tif 000004
【図３】
0004012602.tif 000005
【図４】
0004012602.tif 000006
【図５】
0004012602.tif 000007